(57)【要約】【課題】光パス信号及び光パケット信号が混在した場合でも、安定した増幅率を確保できる光伝送装置等を提供する。【解決手段】光伝送装置は、光増幅部と、第１の監視部と、第２の監視部と、特定部と、制御部とを有する。光増幅部は、光パス信号に光パケット信号が混在した光信号を増幅する。第１の監視部及び第２の監視部は、光増幅部の入力段及び出力段に関わる前記光信号のパワーを夫々監視する。特定部は、入力段側の光信号のパワーの監視結果に基づき、入力段側の光パケット信号区間を特定すると共に、出力段側の光信号のパワーの監視結果に基づき、出力段側の光パケット信号区間を特定する。制御部は、特定された入力段側の光パケット信号区間内のパワーと、出力段側の光パケット信号区間内のパワーとを比較し、その比較結果であるパワー差に基づき、光増幅部の増幅率を制御する。【選択図】図３
2016021722.tif 000002
【特許請求の範囲】
【請求項１】
光パス信号に光パケット信号が混在した光信号を増幅する増幅部と、
前記増幅部の入力段及び出力段に関わる前記光信号のパワーを夫々監視する監視部と、
前記入力段側の前記光信号のパワーの監視結果に基づき、前記光信号内に前記光パケット信号が存在する、前記入力段側の光パケット信号区間を特定すると共に、前記出力段側の前記光信号のパワーの監視結果に基づき、前記出力段側の前記光パケット信号区間を特定する特定部と、
前記特定部で特定された前記入力段側の前記光パケット信号区間内の前記パワーと、前記出力段側の前記光パケット信号区間内の前記パワーとを比較し、その比較結果に基づき、前記増幅部の増幅率を制御する制御部と
を有することを特徴とする光伝送装置。
【請求項２】
前記特定部は、
前記入力段側の前記光信号の前記パワーの監視結果に基づき、前記光信号内に前記光パケット信号が存在しない、前記入力段側の光パス信号区間を特定すると共に、前記出力段側の前記光信号のパワーの監視結果に基づき、前記出力段側の前記光パス信号区間を特定し、
前記制御部は、
前記特定部で前記光パス信号区間が特定された場合に、前記入力段側の前記光パス信号区間内の前記パワーと、前記出力段側の前記光パス信号区間内の前記パワーとを比較し、その比較結果に基づき、前記増幅部の増幅率を制御することを特徴とする請求項１に記載の光伝送装置。
【請求項３】
前記制御部は、
前記入力段側の前記パワーと前記出力段側の前記パワーとを比較する際に、前記入力段から前記出力段までの光信号の時間差を用いて、同一タイミング時点の前記光信号に関わる前記入力段側のパワーと前記出力段側のパワーとを比較することを特徴とする請求項１又は２に記載の光伝送装置。
【請求項４】
前記特定部は、
前記入力段側の前記パワーの変動に関わる立上り変化点及び立下り変化点に基づき、前記入力段側の前記光パケット信号区間を特定すると共に、前記出力段側の前記パワーの変動に関わる前記立上り変化点及び前記立下り変化点に基づき、前記出力段側の前記光パケット信号区間を特定することを特徴とする請求項１〜３の何れか一つに記載の光伝送装置。
【請求項５】
光伝送装置は、
光パス信号に光パケット信号が混在した光信号を増幅部で増幅する際に、前記増幅部の入力段及び出力段に関わる前記光信号のパワーを夫々監視し、
前記入力段側の前記光信号のパワーの監視結果に基づき、前記光信号内に前記光パケット信号が存在する、前記入力段側の光パケット信号区間を特定すると共に、前記出力段側の前記光信号のパワーの監視結果に基づき、前記出力段側の前記光パケット信号区間を特定し、
前記入力段側の前記光パケット信号区間内の前記パワーと、前記出力段側の前記光パケット信号区間内の前記パワーとを比較し、その比較結果に基づき、前記増幅部の増幅率を制御する
処理を実行することを特徴とする光伝送方法。
【発明の詳細な説明】
【技術分野】
【０００１】
本発明は、光伝送装置及び光伝送方法に関する。
【背景技術】
【０００２】
近年、ＷＤＭ（Wavelength  Division  Multiplex:光波長多重）システムでは、例えば、ＯＴＮ（Optical  Transport  Network）網との間の光パス信号を光波長多重化した光信号を伝送している。しかしながら、近年、例えば、リングネットワークやメッシュネットワーク等のネットワーク構成の複雑化に伴って伝送路のフレキシブルな運用が求められている。
【０００３】
ＷＤＭシステムでは、ネットワーク上の伝送路の切断等で伝送路が変更された場合、伝送路上の各光伝送装置内を通過する信号波長数も増減する。そこで、各光伝送装置内部の光アンプでは、信号波長数の変動に応じて光信号の光パワーの変動に迅速に対応するＡＧＣ（Auto  Gain  Control）方式が採用されている。ＡＧＣ方式の光アンプは、アンプ入力段の光信号の入力パワーと、アンプ出力段の光信号の出力パワーとを比較し、その比較結果であるパワー差に基づき所定増幅率となるように制御している。
【０００４】
また、今後、ＷＤＭシステムでは、光パス信号の他に、例えば、イーサネット（登録商標）等のＬＡＮ（Local  Area  Network）との間でバースト的に発生する光パケット信号を光波長多重化した光信号を伝送する技術が提案されている。ＷＤＭシステムでは、光パケット信号が利用者の使用タイミング、すなわちランダムに発生するため、光信号内に光パケット信号がバースト的に存在することになる。しかも、光パケット信号は、その信号長や信号間隔がランダムである。従って、ＷＤＭシステム内の光伝送装置では、光信号内の光パケット信号の有無に応じて光アンプの入力パワーが大きく変動する。
【先行技術文献】
【特許文献】
【０００５】
【特許文献１】特開２０１１−２４３７６５号公報
【発明の概要】
【発明が解決しようとする課題】
【０００６】
そもそも、ＡＧＣ方式の光アンプでは、入力パワーが一定時間安定して入力されるのが前提となる。しかしながら、光パス信号と光パケット信号とを光波長多重化した光信号を伝送するＷＤＭシステムでは、光信号内に光パケット信号がバースト的に混在するため、光パケット信号の有無に応じて入力パワーが変動してしまう。
【０００７】
ＡＧＣ方式の光アンプでは、光信号内の光パケット信号の有無に応じて入力パワーが変動し、そのパワー差が変動するため、安定した増幅率を確保することが難しくなる。光アンプでは、同一監視タイミングで、例えば、アンプ入力段で光信号内に光パケット信号が存在し、アンプ出力段で光信号内に光パケット信号がなしの場合、そのパワー差が変動することになるため、安定した増幅率を確保することが難しくなる。
【０００８】
一つの側面では、光パス信号及び光パケット信号が混在した場合でも、安定した増幅率を確保できる光伝送装置及び光伝送方法を提供することを目的とする。
【課題を解決するための手段】
【０００９】
一つの態様では、光伝送装置は、増幅部と、監視部と、特定部と、制御部とを有する。増幅部は、光パス信号に光パケット信号が混在した光信号を増幅する。監視部は、前記増幅部の入力段及び出力段に関わる前記光信号のパワーを夫々監視する。特定部は、前記入力段側の前記光信号のパワーの監視結果に基づき、前記光信号内に前記光パケット信号が存在する、前記入力段側の光パケット信号区間を特定する。更に、特定部は、前記出力段側の前記光信号のパワーの監視結果に基づき、前記出力段側の前記光パケット信号区間を特定する。更に、制御部は、前記特定部で特定された前記入力段側の前記光パケット信号区間内の前記パワーと、前記出力段側の前記光パケット信号区間内の前記パワーとを比較し、その比較結果に基づき、前記増幅部の増幅率を制御する。
【発明の効果】
【００１０】
一つの態様では、光パス信号及び光パケット信号が混在した場合でも、安定した増幅率を確保できる。
【図面の簡単な説明】
【００１１】
【図１】図１は、ＷＤＭシステムの一例を示す説明図である。
【図２】図２は、実施例１の光伝送装置の一例を示す説明図である。
【図３】図３は、実施例１の光アンプの一例を示す説明図である。
【図４】図４は、光アンプの入出力パワーの監視動作の一例を示す説明図である。
【図５】図５は、第１の入力パワー特定処理に関わる光アンプ内の処理動作の一例を示すフローチャートである。
【図６】図６は、第１の出力パワー特定処理に関わる光アンプ内の処理動作の一例を示すフローチャートである。
【図７】図７は、第１の増幅率制御処理に関わる光アンプ内の処理動作の一例を示すフローチャートである。
【図８】図８は、実施例２の光アンプの一例を示す説明図である。
【図９】図９は、光アンプの入出力パワーの監視動作の一例を示す説明図である。
【図１０】図１０は、第２の入力パワー特定処理に関わる光アンプ内の処理動作の一例を示すフローチャートである。
【図１１】図１１は、第２の出力パワー特定処理に関わる光アンプ内の処理動作の一例を示すフローチャートである。
【図１２】図１２は、第２の増幅率制御処理に関わる光アンプ内部の処理動作の一例を示すフローチャートである。
【図１３】図１３は、実施例３の光アンプの一例を示す説明図である。
【図１４】図１４は、光アンプの入出力パワーの監視動作の一例を示す説明図である。
【図１５】図１５は、遅延時間算出処理に関わる光アンプ内の処理動作の一例を示すフローチャートである。
【図１６】図１６は、第３の増幅率制御処理に関わる光アンプ内の処理動作の一例を示すフローチャートである。
【発明を実施するための形態】
【００１２】
以下、図面に基づいて、本願の開示する光伝送装置及び光伝送方法の実施例を詳細に説明する。尚、各実施例により、開示技術が限定されるものではない。また、以下に示す各実施例は、矛盾を起こさない範囲で適宜組み合わせても良い。
【実施例１】
【００１３】
図１は、ＷＤＭシステムの一例を示す説明図である。図１に示すＷＤＭシステム１は、複数の光伝送装置２をＷＤＭ回線（以下、単に光回線と称する）３で相互に接続して光波長多重化した光信号を光回線３経由で伝送する構成である。各光伝送装置２（２Ａ〜２Ｅ）は、ＬＡＮ４（４Ａ〜４Ｅ）と、ＯＴＮ（Optical  Transport  Network）５（５Ａ〜５Ｅ）とに夫々接続する。光伝送装置２は、例えば、ＬＡＮ４との間でＬＡＮパケットの光パケット信号を伝送すると共に、例えば、ＯＴＮ５との間で光パス信号を伝送する。尚、光パス信号は、時間的に連続しているものの、光パケット信号は、バースト的に発生するものである。更に、光伝送装置２は、光パケット信号及び光パス信号を光波長多重化した光信号を光回線３経由で伝送する。尚、光信号は、光パス信号を含むものの、利用者の使用タイミングに応じて光パケット信号を含まない場合もある。
【００１４】
光伝送装置２Ａは、例えば、ＬＡＮ４Ａ及びＯＴＮ５Ａと接続している。光伝送装置２Ｂは、例えば、ＬＡＮ４Ｂ及びＯＴＮ５Ｂと接続している。光伝送装置２Ｃは、例えば、ＬＡＮ４Ｃ及びＯＴＮ５Ｃと接続している。光伝送装置２Ｄは、例えば、ＬＡＮ４Ｄ及びＯＴＮ５Ｄと接続している。光伝送装置２Ｅは、例えば、ＬＡＮ４Ｅ及びＯＴＮ５Ｅと接続している。
【００１５】
図１に示す光伝送装置２Ｂは、ＬＡＮ４ＢからＬＡＮ４Ｅ宛の波長λ１〜λｎの光パケット信号を入力すると共に、ＯＴＮ５ＢからＯＴＮ５Ｄ宛の波長λｎ＋１の光パス信号を入力する。光伝送装置２Ｂは、これら入力された光パケット信号及び光パス信号を光波長多重化した光信号を光回線３経由で光伝送装置２Ｃに伝送する。更に、光伝送装置２Ｃは、ＯＴＮ５ＣからＯＴＮ５Ｅ宛の波長λｎ＋２の光パス信号を入力すると共に、光伝送装置２Ｂからの光信号を入力し、光パス信号を光信号に光波長多重化した光信号を光回線３経由で光伝送装置２Ｄに伝送する。
【００１６】
更に、光伝送装置２Ｄは、光伝送装置２Ｃからの光信号を入力し、光信号からＯＴＮ５Ｄ宛の光パス信号を分離し、分離した光パス信号をＯＴＮ５Ｄに伝送する。更に、光伝送装置２Ｄは、光パス信号を分離した光信号を光回線３経由で光伝送装置２Ｅに伝送する。光伝送装置２Ｅは、光伝送装置２Ｄから光信号を入力し、光信号からＯＴＮ５Ｅ宛の光パス信号及びＬＡＮ４Ｅ宛の光パケット信号を分離し、ＯＴＮ５Ｅ宛の光パス信号をＯＴＮ５Ｅに伝送すると共に、ＬＡＮ４Ｅ宛の光パケット信号をＬＡＮ４Ｅに伝送する。
【００１７】
図２は、光伝送装置２の一例を示す説明図である。図２に示す光伝送装置２は、受信側の光アンプ１１１（１１）と、送信側の光アンプ１１２（１１）と、分離・多重部１２と、光パケットスイッチ部１３と、光パケット送受信部１４と、光パス送受信部１５とを有する。受信側の光アンプ１１１は、光回線３からの光信号を増幅するＡＧＣ方式の増幅部である。分離・多重部１２は、受信側の光アンプ１１１で増幅した光信号から光パス信号や光パケット信号を光波長分離する分離部１２Ａと、受信側の光アンプ１１１で増幅した光信号に光パス信号や光パケット信号を光波長多重する多重部１２Ｂとを有する。
【００１８】
光パケット送受信部１４は、例えば、ＬＡＮ４と接続し、ＬＡＮ４との間でＬＡＮパケットの光パケット信号を送受信する通信部である。光パス送受信部１５は、例えば、ＯＴＮ５と接続し、ＯＴＮ５との間で光波長毎の光パス信号を送受信する通信部である。光パスケットスイッチ部１３は、分離・多重部１２と光パケット送受信部１４との間を切替接続するものである。送信側の光アンプ１１２は、多重部１２Ｂで多重された光信号を増幅して光回線３に出力するＡＧＣ方式の増幅部である。
【００１９】
図３は、実施例１の光アンプ１１の一例を示す説明図である。図３に示す光アンプ１１は、光増幅部２１と、第１の監視部２２と、第２の監視部２３と、監視タイミング生成部２４と、励起部２５と、励起用制御部２６と、励起用電流テーブル２７と、光アンプ制御部２８とを有する。
【００２０】
光増幅部２１は、例えば、ＥＤＦ（Erbium Doped-Fiber）等の希土類添加ファイバのアンプに相当し、励起部２５からのレーザ光に応じて光信号を増幅出力する。第１の監視部２２は、光増幅部２１の入力段での光信号を電気信号に変換して入力パワーを測定し、その測定結果である入力パワーを取得する。第２の監視部２３は、光増幅部２１の出力段での光信号を電気信号に変換して出力パワーを測定し、その測定結果である出力パワーを取得する。監視タイミング生成部２４は、第１の監視部２２で入力パワー及び第２の監視部２３で出力パワーを取得するための監視タイミングを生成する。尚、監視タイミングの間隔は、光パケット信号の内、最短の光パケット信号の存在を認識可能にする間隔に相当し、例えば、最短の光パケット信号のパケット長以下とする。より具体的には、監視タイミングの間隔は、例えば、最短の光パケット信号のパケット長の１／５以下とし、間隔＝（波長当たりのパケット長×８／ビットレート）×１／５とする。
【００２１】
光アンプ制御部２８は、光アンプ１１全体を制御する。光アンプ制御部２８は、第１の監視部２２で取得した入力パワーと、第２の監視部２３で取得した出力パワーとを比較し、その比較結果であるパワー差を算出する。励起用制御部２６は、パワー差に応じた励起電流を励起用電流テーブル２７から取得し、取得した励起電流を励起部２５に供給する。励起部２５は、レーザ光源に相当し、励起用制御部２６からの励起電流に応じたレーザ光を光増幅部２１に供給する。光増幅部２１は、励起部２５からのレーザ光に応じて光信号を増幅する。光アンプ制御部２８は、パワー差に基づき、光増幅部２１の増幅率を制御する。
【００２２】
第１の監視部２２は、第１のフォトダイオード（Photo Diode:以下、単にＰＤと称する）３１と、第１の測定部３２と、第１の書込み部３３と、第１のメモリ３４と、第１の読出し部３５と、第１の変化点検出部３６とを有する。第１のＰＤ３１は、光増幅部２１の入力段に配置し、入力段側の光信号を電気信号に変換する。第１の測定部３２は、監視タイミング生成部２４からの監視タイミングに応じて、第１のＰＤ３１を通じて監視タイミング時点の入力パワーを測定する。
【００２３】
第１の書込み部３３は、第１の測定部３２の測定結果である入力パワーをデジタル変換して第１のメモリ３４に格納する。第１の読出し部３５は、監視タイミング単位で測定した入力パワーを第１のメモリ３４から読み出す。第１の変化点検出部３６は、読み出された入力パワーから変化点を検出する。第１の変化点検出部３６は、入力パワーから立上り変化点及び立下り変化点を検出する。尚、立上り変化点は、光信号内に光パケット信号が存在する光パケット信号区間を検出するための基点となる。立下り変化点は、光パケット信号区間を検出するための終点となる。
【００２４】
第２の監視部２３は、第２のＰＤ４１と、第２の測定部４２と、第２の書込み部４３と、第２のメモリ４４と、第２の読出し部４５と、第２の変化点検出部４６とを有する。第２のＰＤ４１は、光増幅部２１の出力段に配置し、出力段側の光信号を電気信号に変換する。第２の測定部４２は、監視タイミング生成部２４からの監視タイミングに応じて、第２のＰＤ４１を通じて監視タイミング時点の出力パワーを測定する。
【００２５】
第２の書込み部４３は、第２の測定部４２の測定結果である出力パワーをデジタル変換して第２のメモリ４４に格納する。第２の読出し部４５は、監視タイミング単位で測定した出力パワーを第２のメモリ４４から読み出す。第２の変化点検出部４６は、読み出された出力パワーから変化点を検出する。第２の変化点検出部４６は、出力パワーから立上り変化点及び立下り変化点を検出する。
【００２６】
光アンプ制御部２８は、特定部５１と、制御部５２とを有する。特定部５１は、第１の監視部２２で取得した入力パワーの立上り変化点及び立下り変化点から入力段側の光パケット信号区間を特定する。尚、特定部５１は、第１の監視部２２で取得した入力パワーの立上り変化点を検出すると、この検出直後の次の監視タイミング時点で取得した入力パワーを入力段側の光パケット信号区間の開始点と判断する。更に、特定部５１は、第２の監視部２３で取得した出力パワーの立上り変化点及び立下り変化点から出力段側の光パケット信号区間を特定する。尚、特定部５１は、第２の監視部２３で取得した出力パワーの立上り変化点を検出すると、この検出直後の次の監視タイミング時点で取得した出力パワーを出力段側の光パケット信号区間の開始点と判断する。
【００２７】
制御部５２は、入力段側の光パケット信号区間のパワーと、出力段側の光パケット信号区間のパワーとを比較し、光パケット信号区間同士のパワー差を算出する。より具体的には、制御部５２は、入力段側の光パケット信号区間の入力パワーの平均値と、出力段側の光パケット信号区間の出力パワーの平均値とを比較して、光パケット信号区間同士のパワー差を算出する。
【００２８】
図４は、光アンプ１１の入出力パワーの監視動作の一例を示す説明図である。第１の変化点検出部３６は、図４に示す入力パワーにおいて、レベルＡからレベルＢへの変化点を立上り変化点Ｘ１として検出し、レベルＢからレベルＡへの変化点を立下り変化点Ｘ２として検出する。第２の変化点検出部４６は、図４に示す出力パワーにおいて、レベルＣからレベルＤへの変化点を立上り変化点Ｘ３として検出し、レベルＤからレベルＣへの変化点を立下り変化点Ｘ４として検出する。
【００２９】
特定部５１は、第１の変化点検出部３６で入力パワーの立上り変化点Ｘ１を検出した場合、次の監視タイミングの入力パワーＸ５から立下り変化点Ｘ２を検出するまでの区間を入力段側の光パケット信号区間Ｌ１として特定する。また、特定部５１は、第２の変化点検出部４６で出力パワーの立上り変化点Ｘ３を検出した場合、次の監視タイミングの出力パワーＸ６から立下り変化点Ｘ４を検出するまでの区間を出力段側の光パケット信号区間Ｌ２として特定する。
【００３０】
制御部５２は、光増幅部２１に対して光信号の入力タイミングと出力タイミングとで遅延差が生じるものの、入力段側の光パケット信号区間Ｌ１の入力パワーと、出力段側の光パケット信号区間Ｌ２の出力パワーとを比較する。制御部５２は、図４に示す同一タイミングで検出した入力段側の光パケット信号区間Ｌ１の入力パワーと出力段側の光パケット信号区間Ｌ２の出力パワーとを比較し、期間αのパワー差に基づき光増幅部２１の増幅率を制御する。
【００３１】
次に実施例１の光伝送装置２の動作について説明する。図５は、第１の入力パワー特定処理に関わる光アンプ１１内の処理動作の一例を示すフローチャートである。図５に示す第１の入力パワー特定処理は、測定した入力パワーから検出した立上り変化点及び立下り変化点に基づき、入力段側の光パケット信号区間Ｌ１を特定する処理である。
【００３２】
図５において光アンプ１１内の第１の監視部２２内の第１の測定部３２は、監視タイミング生成部２４から監視タイミングを検出したか否かを判定する（ステップＳ１１）。第１の測定部３２は、監視タイミングを検出した場合（ステップＳ１１肯定）、第１のＰＤ３１から監視タイミング時点の入力パワーを測定し、測定結果である入力パワーを第１の書込み部３３を通じて第１のメモリ３４に格納する（ステップＳ１２）。
【００３３】
第１の読出し部３５は、第１のメモリ３４に格納された監視タイミング時点の入力パワーを読み出す（ステップＳ１３）。第１の変化点検出部３６は、読み出した入力パワーが立上り変化点を検出したか否かを判定する（ステップＳ１４）。第１の変化点検出部３６は、立上り変化点Ｘ１を検出した場合（ステップＳ１４肯定）、立上り変化点を検出したことを示す検出フラグを“１”に設定し（ステップＳ１５）、次の監視タイミングを検出したか否かを判定すべく、ステップＳ１１に移行する。尚、検出フラグは、立上り変化点を検出した場合は“１”を設定し、立上り変化点を検出しなかった場合は“０”を設定するものとする。
【００３４】
第１の変化点検出部３６は、読み出した入力パワーが立上り変化点を検出しなかった場合（ステップＳ１４否定）、検出フラグが“１”であるか否かを判定する（ステップＳ１６）。第１の変化点検出部３６は、検出フラグが“１”の場合（ステップＳ１６肯定）、入力パワーが立下り変化点を検出したか否かを判定する（ステップＳ１７）。
【００３５】
特定部５１は、入力パワーが立下り変化点を検出した場合（ステップＳ１７肯定）、入力段での光パケット信号区間Ｌ１を特定する（ステップＳ１８）。尚、特定部５１は、図４に示すように、立上り変化点Ｘ１を検出直後の次の監視タイミングで検出した入力パワーＸ５から立下り変化点Ｘ２までの区間を入力段側の光パケット信号区間Ｌ１として特定する。そして、第１の変化点検出部３６は、検出フラグを“１”を“０”にし（ステップＳ１９）、次の監視タイミングを検出すべく、ステップＳ１１に移行する。
【００３６】
また、第１の変化点検出部３６は、検出フラグが“１”でない場合（ステップＳ１６否定）、又は、立下り変化点を検出しなかった場合（ステップＳ１７否定）、次の監視タイミングを検出すべく、ステップＳ１１に移行する。第１の測定部３２は、監視タイミングを検出しなかった場合（ステップＳ１１否定）、監視タイミングの検出を監視すべく、ステップＳ１１に移行する。
【００３７】
図５に示す第１の入力パワー特定処理の光アンプ１１は、監視タイミング毎に測定した入力パワーから立上り変化点及び立下り変化点を検出し、検出結果に基づき、入力段側の光パケット信号区間を特定する。その結果、光アンプ１１は、光増幅部２１の入力段の入力パワーから入力段側の光パケット信号区間を特定できる。
【００３８】
図６は、第１の出力パワー特定処理に関わる光アンプ１１内の処理動作の一例を示すフローチャートである。図６に示す第１の出力パワー特定処理は、測定した出力パワーから検出した立上り変化点及び立下り変化点に基づき、出力段側の光パケット信号区間を特定する処理である。
【００３９】
図６において光アンプ１１内の第２の監視部２３内の第２の測定部４２は、監視タイミング生成部２４から監視タイミングを検出したか否かを判定する（ステップＳ２１）。第２の測定部４２は、監視タイミングを検出した場合（ステップＳ２１肯定）、第２のＰＤ４１から監視タイミング時点の出力パワーを測定し、測定結果である出力パワーを第２の書込み部４３を通じて第２のメモリ４４に格納する（ステップＳ２２）。
【００４０】
第２の読出し部４５は、第２のメモリ４４に格納された監視タイミング時点の出力パワーを読み出す（ステップＳ２３）。第２の変化点検出部４６は、読み出した出力パワーが立上り変化点を検出したか否かを判定する（ステップＳ２４）。第２の変化点検出部４６は、立上り変化点を検出した場合（ステップＳ２４肯定）、立上り変化点を検出したことを示す検出フラグを“１”に設定し（ステップＳ２５）、次の監視タイミングを検出したか否かを判定すべく、ステップＳ２１に移行する。
【００４１】
第２の変化点検出部４６は、読み出した出力パワーが立上り変化点を検出しなかった場合（ステップＳ２４否定）、検出フラグが“１”であるか否かを判定する（ステップＳ２６）。第２の変化点検出部４６は、検出フラグが“１”の場合（ステップＳ２６肯定）、出力パワーが立下り変化点を検出したか否かを判定する（ステップＳ２７）。
【００４２】
特定部５１は、出力パワーが立下り変化点を検出した場合（ステップＳ２７肯定）、出力段での光パケット信号区間Ｌ２を特定する（ステップＳ２８）。尚、特定部５１は、図４に示すように、立上り変化点Ｘ３を検出直後の次の監視タイミングで検出した出力パワーＸ６から立下り変化点Ｘ４までの区間を出力段側の光パケット信号区間Ｌ２として特定する。そして、第２の変化点検出部４６は、検出フラグを“１”を“０”にし（ステップＳ２９）、次の監視タイミングを検出すべく、ステップＳ２１に移行する。
【００４３】
また、第２の変化点検出部４６は、検出フラグが“１”でない場合（ステップＳ２６否定）、又は、立下り変化点を検出しなかった場合（ステップＳ２７否定）、次の監視タイミングを検出すべく、ステップＳ２１に移行する。第２の測定部４２は、監視タイミングを検出しなかった場合（ステップＳ２１否定）、監視タイミングの検出を監視すべく、ステップＳ２１に移行する。
【００４４】
図６に示す第１の出力パワー特定処理の光アンプ１１は、監視タイミング毎に測定した出力パワーから立上り変化点及び立下り変化点を検出し、検出結果に基づき、出力段側の光パケット信号区間を特定する。その結果、光アンプ１１は、光増幅部２１の出力段の出力パワーから出力段側の光パケット信号区間を特定できる。尚、光アンプ１１は、第１の入力パワー特定処理及び第１の出力パワー特定処理を並行に実行するものとする。
【００４５】
図７は、第１の増幅率制御処理に関わる光アンプ１１内の処理動作の一例を示すフローチャートである。図７に示す第１の増幅率制御処理は、入出力の光パケット信号区間内の入出力パワー間のパワー差に基づき、光増幅部２１の増幅率を制御する処理である。図７において光アンプ１１内の制御部５２は、入出力の光パケット信号区間を特定したか否かを判定する（ステップＳ３１）。尚、入出力の光パケット信号区間は、入力段側の光パケット信号区間及び出力段側の光パケット信号区間である。制御部５２は、入出力の光パケット信号区間を特定した場合（ステップＳ３１肯定）、入力段側の光パケット信号区間Ｌ１内の入力パワーと、出力段側の光パケット信号区間Ｌ２内の出力パワーとを比較する。そして、制御部５２は、同一タイミング時点の入出力パワー間のパワー差に応じた増幅率を算出する（ステップＳ３２）。
【００４６】
制御部５２は、算出した増幅率が目標値と同一であるか否かを判定する（ステップＳ３３）。制御部５２は、算出した増幅率が目標値と同一の場合（ステップＳ３３肯定）、励起部２５に対する現在設定中の励起電流を維持し（ステップＳ３４）、図７に示す処理動作を終了する。
【００４７】
制御部５２は、算出した増幅率が目標値と同一でない場合（ステップＳ３３否定）、増幅率が目標値未満であるか否かを判定する（ステップＳ３５）。制御部５２は、増幅率が目標値未満の場合（ステップＳ３５肯定）、増幅率が目標値になるように、励起部２５に対して励起電流をアップし（ステップＳ３６）、図７に示す処理動作を終了する。
【００４８】
制御部５２は、算出した増幅率が目標値未満でない場合（ステップＳ３５否定）、増幅率が目標値になるように、励起部２５に対して励起電流をダウンし（ステップＳ３７）、図７に示す処理動作を終了する。制御部５２は、光パケット信号区間を特定しなかった場合（ステップＳ３１否定）、光パケット信号区間を特定したか否かを判定すべく、ステップＳ３１に移行する。
【００４９】
図７に示す第１の増幅率制御処理を実行する制御部５２は、入出力の光パケット信号区間内の入出力パワー間のパワー差に応じた増幅率を算出し、算出した増幅率と目標値とを比較し、増幅率が目標値となるように励起電流を励起部２５に供給する。その結果、光アンプ１１は、光パケット信号が混在した場合でも、励起電流に対応したレーザ光に応じて、安定した増幅率を確保できる。
【００５０】
実施例１の光伝送装置２では、光増幅部２１の入出力の制御タイミングとして光パケット信号区間を特定し、入出力の光パケット信号区間内の入出力パワー間のパワー差に基づき、光増幅部２１の増幅率を制御する。その結果、光伝送装置２は、光パケット信号が混在し、光信号の入力パワーが変動した場合でも、制御タイミングを光パケット信号区間に設定することで安定した増幅率を確保できる。しかも、光伝送装置２は、光増幅部２１の増幅率を安定化することで、従来のような増幅率の不安定によって生じる発振や共振に起因する過剰増幅を抑制し、光信号の伝送品質の向上が図れる。
【００５１】
尚、上記実施例１では、例えば、第１の入力パワー特定処理及び第１の出力パワー特定処理を並行して実行するようにしたが、別個に実行するようにしても良い。
【００５２】
尚、上記実施例１の光伝送装置２では、入力段側の光パケット信号区間Ｌ１及び出力段側の光パケット信号区間Ｌ２を特定し、入出力の光パケット信号区間内の入出力パワーのパワー差に基づき、光増幅部２１の増幅率を制御するようにした。しかしながら、光パケット信号はバースト的に光信号内に混在するため、光パケット信号区間が少ない場合には、光増幅部２１の増幅率を制御する機会が少なくなる。そこで、制御タイミングとして光パケット信号区間だけでなく、光信号内に光パケット信号が存在しない光パス信号区間でも、光増幅部２１の増幅率を制御するようにしても良く、この場合の実施の形態につき、実施例２として以下に説明する。
【実施例２】
【００５３】
図８は、実施例２の光アンプ１１Ａの一例を示す説明図である。尚、実施例１の光伝送装置２と同一の構成には同一符号を付すことで、その重複する構成及び動作の説明については省略する。図８に示す光アンプ１１Ａと図３に示す光アンプ１１とが異なるところは、光アンプ制御部２８Ａ内に特定部５１Ａ及び制御部５２Ａを備えた点にある。
【００５４】
特定部５１Ａは、第１の監視部２２で得た入力パワーから光パケット信号区間Ｌ１及び、第２の監視部２３で得た出力パワーから光パケット信号区間Ｌ２を特定する。更に、特定部５１Ａは、入力パワーから光信号内に光パケット信号が存在しない区間、すなわち光パス信号区間Ｌ３を特定すると共に、出力パワーから光パス信号区間Ｌ４を特定する。
【００５５】
更に、制御部５２Ａは、入出力の光パケット信号区間が特定できた場合、入出力の光パケット信号区間内の入出力パワー間のパワー差に基づき、光増幅部２１の増幅率を制御する。更に、制御部５２Ａは、入出力の光パケット信号区間が特定できなかった場合、入出力の光パス信号区間を特定し、入出力の光パス信号区間内の入出力パワー間のパワー差に基づき、光増幅部２１の増幅率を制御する。
【００５６】
図９は、光アンプ１１Ａの入出力パワーの監視動作の一例を示す説明図である。第１の変化点検出部３６は、図９に示す入力パワーにおいて立上り変化点Ｘ１及び立下り変化点Ｘ２を検出する。更に、第２の変化点検出部４６は、図９に示す出力パワーにおいて立上り変化点Ｘ３及び立下り変化点Ｘ４を検出する。
【００５７】
特定部５１Ａは、入力パワーの立上り変化点Ｘ１及び立下り変化点Ｘ２に基づき、第１の監視部２２で監視タイミング毎に得た入力パワーから光パス信号区間Ｌ３を特定する。尚、特定部５１Ａは、第１の変化点検出部３６で立下り変化点Ｘ２を検出した場合に、次の監視タイミングの入力パワーＸ７から立上り変化点Ｘ１を検出するまでの区間を入力段側の光パス信号区間Ｌ３として特定する。更に、特定部５１Ａは、第２の監視部２３で監視タイミング毎に得た出力パワーから光パス信号区間Ｌ４を特定する。尚、特定部５１Ａは、第２の変化点検出部４６で立下り変化点Ｘ４を検出した場合に、次の監視タイミングの入力パワーＸ８から立上り変化点Ｘ３を検出するまでの区間を出力段側の光パス信号区間Ｌ４として特定する。
【００５８】
制御部５２Ａは、入力段側の光パス信号区間Ｌ３のパワーと、出力段側の光パス信号区間Ｌ４のパワーとを比較し、光パス信号区間内の入出力パワー間のパワー差を算出する。具体的には、制御部５２Ａは、入力段側の光パス信号区間Ｌ３の入力パワーの平均値と、出力段側の光パス信号区間Ｌ４の出力パワーの平均値とを比較して、光パス信号区間内の入出力パワー間のパワー差を算出する。そして、制御部５２Ａは、光パケット信号区間が特定できない場合でも、光パス信号区間を特定し、光パス信号区間内の入出力パワー同士を比較した期間α１のパワー差に基づき、光増幅部２１の増幅率を制御する。
【００５９】
次に実施例２の光伝送装置２の動作について説明する。図１０は、第２の入力パワー特定処理に関わる光アンプ１１Ａ内の処理動作の一例を示すフローチャートである。図１０に示す第２の入力パワー特定処理は、測定した入力パワーから検出した立上り変化点及び立下り変化点に基づき、入力段側の光パケット信号区間Ｌ１を特定すると共に、入力段側の光パス信号区間Ｌ３を特定する処理である。
【００６０】
図１０において光アンプ１１Ａ内の第１の監視部２２の第１の測定部３２は、監視タイミング生成部２４から監視タイミングを検出したか否かを判定する（ステップＳ４１）。第１の測定部３２は、監視タイミングを検出した場合（ステップＳ４１肯定）、第１のＰＤ３１から監視タイミング時点の入力パワーを測定し、測定結果である入力パワーを第１の書込み部３３を通じて第１のメモリ３４に格納する（ステップＳ４２）。
【００６１】
第１の読出し部３５は、第１のメモリ３４に格納された監視タイミング時点の入力パワーを読み出す（ステップＳ４３）。第１の変化点検出部３６は、読み出した入力パワーが立上り変化点を検出したか否かを判定する（ステップＳ４４）。第１の変化点検出部３６は、立上り変化点を検出した場合（ステップＳ４４肯定）、立上り変化点を検出したことを示す検出フラグを“１”に設定し（ステップＳ４５）、次の監視タイミングを検出したか否かを判定すべく、ステップＳ４１に移行する。
【００６２】
第１の変化点検出部３６は、読み出した入力パワーが立上り変化点を検出しなかった場合（ステップＳ４４否定）、検出フラグが“１”であるか否かを判定する（ステップＳ４６）。第１の変化点検出部３６は、検出フラグが“１”の場合（ステップＳ４６肯定）、入力パワーが立下り変化点を検出したか否かを判定する（ステップＳ４７）。
【００６３】
特定部５１Ａは、入力パワーが立下り変化点を検出した場合（ステップＳ４７肯定）、入力段での光パケット信号区間Ｌ１を特定する（ステップＳ４８）。そして、第１の変化点検出部３６は、検出フラグを“１”を“０”にし（ステップＳ４９）、次の監視タイミングを検出すべく、ステップＳ４１に移行する。
【００６４】
また、特定部５１Ａは、検出フラグが“１”でない場合（ステップＳ４６否定）、入力段での光パス信号区間Ｌ３を特定し（ステップＳ５０）、次の監視タイミングを検出すべく、ステップＳ４１に移行する。尚、特定部５１Ａは、第１の変化点検出部３６で立下り変化点Ｘ２を検出した場合に、次の監視タイミングの入力パワーＸ７から立上り変化点Ｘ１を検出するまでの区間を入力段側の光パス信号区間Ｌ３として特定する。
【００６５】
また、第１の変化点検出部３６は、立下り変化点を検出しなかった場合（ステップＳ４７否定）、次の監視タイミングを検出すべく、ステップＳ４１に移行する。第１の測定部３２は、監視タイミングを検出しなかった場合（ステップＳ４１否定）、監視タイミングの検出を監視すべく、ステップＳ４１に移行する。
【００６６】
図１０に示す第２の入力パワー特定処理の光アンプ１１Ａは、監視タイミング毎に測定した入力パワーから立上り変化点及び立下り変化点を検出し、検出結果に基づき、入力段側の光パケット信号区間Ｌ１及び光パス信号区間Ｌ３を特定する。その結果、光アンプ１１Ａは、光増幅部２１の入力段の入力パワーから入力段側の光パケット信号区間Ｌ１及び光パス信号区間Ｌ３を特定できる。
【００６７】
図１１は、第２の出力パワー特定処理に関わる光アンプ１１Ａ内の処理動作の一例を示すフローチャートである。図１１に示す第２の出力パワー特定処理は、測定した出力パワーから検出した立上り変化点及び立下り変化点に基づき、出力段側の光パケット信号区間Ｌ２及び出力段側の光パス信号区間Ｌ４を特定する処理である。
【００６８】
図１１において光アンプ１１Ａ内の第２の監視部２３内の第２の測定部４２は、監視タイミング生成部２４から監視タイミングを検出したか否かを判定する（ステップＳ６１）。第２の測定部４２は、監視タイミングを検出した場合（ステップＳ６１肯定）、第２のＰＤ４１から監視タイミング時点の出力パワーを測定し、測定結果である出力パワーを第２の書込み部４３を通じて第２のメモリ４４に格納する（ステップＳ６２）。
【００６９】
第２の読出し部４５は、第２のメモリ４４に格納された監視タイミング時点の出力パワーを読み出す（ステップＳ６３）。第２の変化点検出部４６は、読み出した出力パワーが立上り変化点を検出したか否かを判定する（ステップＳ６４）。第２の変化点検出部４６は、立上り変化点を検出した場合（ステップＳ６４肯定）、立上り変化点を検出したことを示す検出フラグを“１”に設定し（ステップＳ６５）、次の監視タイミングを検出したか否かを判定すべく、ステップＳ６１に移行する。
【００７０】
第２の変化点検出部４６は、読み出した出力パワーが立上り変化点を検出しなかった場合（ステップＳ６４否定）、検出フラグが“１”であるか否かを判定する（ステップＳ６６）。第２の変化点検出部４６は、検出フラグが“１”の場合（ステップＳ６６肯定）、出力パワーが立下り変化点を検出したか否かを判定する（ステップＳ６７）。
【００７１】
特定部５１Ａは、出力パワーが立下り変化点を検出した場合（ステップＳ６７肯定）、出力段での光パケット信号区間Ｌ２を特定する（ステップＳ６８）。そして、第２の変化点検出部４６は、検出フラグを“１”を“０”にし（ステップＳ６９）、次の監視タイミングを検出すべく、ステップＳ６１に移行する。
【００７２】
また、特定部５１Ａは、検出フラグが“１”でない場合（ステップＳ６６否定）、出力段での光パス信号区間Ｌ４を特定し（ステップＳ７０）、次の監視タイミングを検出すべく、ステップＳ６１に移行する。尚、特定部５１Ａは、第２の変化点検出部４６で立下り変化点Ｘ４を検出した場合に、次の監視タイミングの入力パワーＸ８から立上り変化点Ｘ３を検出するまでの区間を出力段側の光パス信号区間Ｌ４として特定する。第２の変化点検出部４６は、立下り変化点を検出しなかった場合（ステップＳ６７否定）、次の監視タイミングを検出すべく、ステップＳ６１に移行する。第２の測定部４２は、監視タイミングを検出しなかった場合（ステップＳ６１否定）、監視タイミングの検出を監視すべく、ステップＳ６１に移行する。
【００７３】
図１１に示す第２の出力パワー特定処理の光アンプ１１Ａは、監視タイミング毎に測定した出力パワーから立上り変化点及び立下り変化点を検出し、検出結果に基づき、出力段側の光パケット信号区間Ｌ２及び出力段側の光パス信号区間Ｌ４を特定する。その結果、光アンプ１１Ａは、光増幅部２１の出力段の出力パワーから出力段側の光パケット信号区間Ｌ２及び出力段側の光パス信号区間Ｌ４を特定できる。尚、光アンプ１１Ａは、第２の入力パワー特定処理及び第２の出力パワー特定処理を並行に実行するものとする。
【００７４】
図１２は、第２の増幅率制御処理に関わる光アンプ１１Ａ内の処理動作の一例を示すフローチャートである。図１２に示す第２の増幅率制御処理は、光増幅部２１の入出力の光パケット信号区間内の入出力パワー間又は光パス信号区間内の入出力パワー間のパワー差に基づき、光増幅部２１の増幅率を制御する処理である。
【００７５】
図１２において光アンプ１１Ａ内の制御部５２Ａは、入出力の光パケット信号区間を特定したか否かを判定する（ステップＳ８１）。尚、入出力の光パケット信号区間は、入力段側の光パケット信号区間Ｌ１及び出力段側の光パケット信号区間Ｌ２である。制御部５２Ａは、入出力の光パケット信号区間を特定した場合（ステップＳ８１肯定）、入力段側の光パケット信号区間Ｌ１内の入力パワーと、出力段側の光パケット信号区間Ｌ２内の衆力パワーとを比較し、同一タイミング時点の入出力パワー間のパワー差に応じた増幅率を算出する（ステップＳ８２）。
【００７６】
制御部５２Ａは、算出した増幅率が目標値と同一であるか否かを判定する（ステップＳ８３）。制御部５２Ａは、算出した増幅率が目標値と同一の場合（ステップＳ８３肯定）、励起部２５に対する現在設定中の励起電流を維持し（ステップＳ８４）、図１２に示す処理動作を終了する。
【００７７】
制御部５２Ａは、算出した増幅率が目標値と同一でない場合（ステップＳ８３否定）、増幅率が目標値未満であるか否かを判定する（ステップＳ８５）。制御部５２Ａは、増幅率が目標値未満の場合（ステップＳ８５肯定）、増幅率が目標値になるように、励起部２５に対して励起電流をアップし（ステップＳ８６）、図１２に示す処理動作を終了する。
【００７８】
制御部５２Ａは、算出した増幅率が目標値未満でない場合（ステップＳ８５否定）、増幅率が目標値になるように、励起部２５に対して励起電流をダウンし（ステップＳ８７）、図１２に示す処理動作を終了する。
【００７９】
制御部５２Ａは、入出力の光パケット信号区間を特定しなかった場合（ステップＳ８１否定）、入出力の光パス信号区間を特定したか否かを判定する（ステップＳ８８）。尚、入出力の光パス信号区間は、入力段側の光パス信号区間Ｌ３及び出力段側の光パス信号区間Ｌ４である。制御部５２Ａは、入出力の光パス信号区間を特定した場合（ステップＳ８８肯定）、入力段側の光パス信号区間Ｌ３内の入力パワーと、出力段側の光パス信号区間Ｌ４内の出力パワーとを比較する。そして、制御部５２Ａは、同一タイミング時点の入出力パワー間のパワー差に応じた増幅率を算出する（ステップＳ８９）。そして、制御部５２Ａは、算出した増幅率が目標値と同一であるか否かを判定すべく、ステップＳ８３に移行する。制御部５２Ａは、入出力の光パス信号区間を特定しなかった場合（ステップＳ８８否定）、光パケット信号区間を特定したか否かを判定すべく、ステップＳ８１に移行する。
【００８０】
図１２に示す第２の増幅率制御処理を実行する光アンプ１１Ａは、入出力の光パケット信号区間内の入出力パワー間のパワー差に応じた増幅率を算出し、算出した増幅率が目標値となるように励起電流を励起部２５に供給する。その結果、光アンプ１１Ａは、光パケット信号を混在した場合でも、励起電流に対応したレーザ光に応じて、安定した増幅率を確保できる。
【００８１】
第２の増幅率制御処理を実行する光アンプ１１Ａは、入出力の光パス信号区間内の入出力パワー間のパワー差に応じた増幅率を算出し、算出した増幅率が目標値となるように励起電流を励起部２５に供給する。その結果、光アンプ１１Ａは、光パケット信号が混在しない場合でも、励起電流に対応したレーザ光に応じて、安定した増幅率を確保できる。
【００８２】
実施例２の光伝送装置２では、光増幅部２１の入出力の制御タイミングとして光パケット信号区間を特定し、入出力の光パケット信号区間内の入出力パワー間のパワー差に基づき、光増幅部２１の増幅率を制御する。その結果、光伝送装置２は、光パケット信号が混在し、光信号の入力パワーが変動した場合でも、制御タイミングを光パケット信号区間に設定することで安定した増幅率を確保できる。
【００８３】
更に、光伝送装置２では、光パケット信号区間が特定できない場合でも、光増幅部２１の入出力の制御タイミングとして光パス信号区間を特定し、入出力の光パス信号区間内の入出力パワー間のパワー差に基づき、光増幅部２１の増幅率を制御する。その結果、光伝送装置２は、光パケット信号が混在しない場合でも、制御タイミングを光パス信号区間に設定することで、実施例１に比較して制御タイミングの機会を増やすことで、より安定した増幅率を確保できる。
【００８４】
尚、上記実施例２では、例えば、第２の入力パワー特定処理及び第２の出力パワー特定処理を並行して実行するようにしたが、別個に実行するようにしても良い。
【００８５】
尚、上記実施例２の光アンプ１１Ａは、光増幅部２１の入出力タイミングに遅延差が生じている。そして、光アンプ１１Ａは、入力段側の光パケット信号区間Ｌ１内の入力パワーと、出力段側の光パケット信号区間Ｌ２内の出力パワーとを比較する。そして、光アンプ１１Ａは、入力パワーと出力パワーとを比較する際、その遅延差を考慮することなく、入出力の光パケット信号区間内の同一タイミングでの入出力パワー同士を比較してパワー差を算出した。そこで、高精度のパワー差を算出すべく、遅延差を考慮した光伝送装置２の実施の形態につき、実施例３として以下に説明する。
【実施例３】
【００８６】
図１３は、実施例３の光アンプ１１Ｂの一例を示す説明図である。尚、実施例２の光伝送装置２と同一の構成には同一符号を付すことで、その重複する構成及び動作の説明については省略する。
【００８７】
図１３に示す光アンプ１１Ｂは、光増幅部２１、第１の監視部２２、第２の監視部２３、監視タイミング生成部２４、励起部２５、励起用制御部２６、励起用電流テーブル２７及び光アンプ制御部２８Ｂを有する。更に、光アンプ１１Ｂは、試験光源６１と、光カプラ６２と、遅延時間算出部６３と、読出し制御部６４とを有する。光アンプ制御部２８Ｂは、特定部５１Ｂと、制御部５２Ｂとを有する。
【００８８】
試験光源６１は、試験パルス信号を発光する光源である。光カプラ６２は、光アンプ１１Ｂ内の第１のＰＤ３１の入力段に配置し、試験光源６１からの試験パルス信号を入力する。制御部５２Ｂは、光信号の運用を開始する前、例えば、光伝送装置２の電源起動時に試験光源６１を起動し、試験光源６１から試験パルス信号を光カプラ６２に入力する。
【００８９】
第１の監視部２２は、光増幅部２１の入力段の第１のＰＤ３１から試験パルス信号を取得し、取得した試験パルス信号をデジタル変換して第１のメモリ３４に格納する。更に、第２の監視部２３は、光増幅部２１の出力段の第２のＰＤ４１から試験パルス信号を取得し、取得した試験パルス信号をデジタル変換して第２のメモリ４４に格納する。遅延時間算出部６３は、第１のメモリ３４に格納された試験パルス信号と、第２のメモリ４４に格納された試験パルス信号とを比較し、試験パルス信号の入出力タイミングの差で光増幅部２１内部の遅延時間を算出する。読出し制御部６４は、入力パワーの読出しタイミングを遅延時間分遅らせて入力パワーを第１のメモリ３４から読み出し出力する。その結果、読出し制御部６４は、光増幅部２１内の遅延時間を解消し、同一タイミングでの入力パワー及び出力パワーを読み出し出力できる。
【００９０】
図１４は、光アンプ１１Ｂの入出力パワーの監視動作の一例を示す説明図である。図１４において読出し制御部６４は、第２のメモリ４４から出力パワーを所定タイミングで読出し出力すると共に、第１のメモリ３４の読出しタイミングを所定タイミングから遅延時間ＤＴ分遅延して入力パワーを読出し出力する。その結果、光増幅部２１内の遅延時間を解消し、同一タイミングでの入力パワー及び出力パワーを比較できる。
【００９１】
制御部５２Ｂは、同一タイミングでの入出力の光パケット信号区間内の入出力パワー同士又は光パス信号区間内の入出力パワー同士を比較し、そのパワー差に基づき、光増幅部２１の増幅率を制御する。実施例２では、光パケット信号区間Ｌ１、Ｌ２内の比較対象のサンプリング値が１個のパワー値Ｐ１であるのに対し、今回は、光パケット信号区間Ｌ１、Ｌ２内の比較対象のサンプリング値が３個のパワー値Ｐ２となるため、高精度のパワー差を算出できる。
【００９２】
次に実施例３の光伝送装置２の動作について説明する。図１５は、遅延時間算出処理に関わる光アンプ１１Ｂ内の処理動作の一例を示すフローチャートである。図１５に示す遅延時間算出処理は、光増幅部２１に対して試験パルス信号を入力することで、光増幅部２１の入出力に対する試験パルス信号の遅延時間を算出する処理である。尚、遅延時間算出処理は、光伝送装置２の運用開始前、例えば、電源起動時に起動する処理である。
【００９３】
図１５において光アンプ１１Ｂの遅延時間算出部６３は、試験光源６１に対して試験パルス信号の出力開始を指示する（ステップＳ９１）。遅延時間算出部６３は、第１の監視部２２内の第１の測定部３２を通じて試験光源６１からの試験パルス信号を取得し、取得した試験パルス信号を第１のメモリ３４に格納する（ステップＳ９２）。尚、第１のメモリ３４に格納された試験パルス信号は、光増幅部２１の入力段の試験パルス信号である。また、遅延時間算出部６３は、第２の監視部２３内の第２の測定部４２を通じて試験光源６１からの試験パルス信号を取得し、取得した試験パルス信号を第２のメモリ４４に格納する（ステップＳ９３）。尚、第２のメモリ４４に格納された試験パルス信号は、光増幅部２１の出力段の試験パルス信号である。
【００９４】
遅延時間算出部６３は、第１のメモリ３４に格納された試験パルス信号と、第２のメモリ４４に格納された試験パルス信号とを比較し（ステップＳ９４）、比較結果が一致したか否かを判定する（ステップＳ９５）。
【００９５】
遅延時間算出部６３は、比較結果が一致した場合（ステップＳ９５肯定）、入力段の試験パルス信号と出力段の試験パルス信号との間の遅延時間を算出する（ステップＳ９６）。尚、遅延時間は、監視タイミング換算である。その結果、遅延時間算出部６３は、光増幅部２１内部の遅延時間を算出したことになる。遅延時間算出部６３は、算出した遅延時間を読出し制御部６４に記憶する（ステップＳ９７）。遅延時間算出部６３は、遅延時間を記憶した後、試験光源６１に対して試験パルス信号の出力を停止し（ステップＳ９８）、図１５に示す処理動作を終了する。
【００９６】
また、遅延時間算出部６３は、比較結果が一致しない場合（ステップＳ９５否定）、第２の監視部２３で試験パルス信号を測定して第２のメモリ４４に格納すべく、ステップＳ９３に移行する。
【００９７】
図１５に示す遅延時間算出処理を実行する遅延時間算出部６３は、光伝送装置２の電源起動時に試験光源６１からの試験パルス信号を光増幅部２１に入力し、試験パルス信号の光増幅部２１の入出力タイミングで遅延時間を算出する。更に、遅延時間算出部６３は、その遅延時間を読出し制御部６４に記憶する。その結果、読出し制御部６４は、試験パルス信号を用いて光増幅部２１内の遅延時間を認識できる。
【００９８】
図１６は、第３の増幅率制御処理に関わる光アンプ１１Ｂ内の処理動作の一例を示すフローチャートである。図１６に示す第３の増幅率制御処理は、光増幅部２１の入力から出力までの遅延時間ＤＴを用いて、同一タイミング時点での光パケット信号区間又は光パス信号区間の入出力のパワー差に基づき、光増幅部２１の増幅率を制御する処理である。
【００９９】
図１６において光アンプ１１Ｂ内の制御部５２Ｂは、入出力の光パケット信号区間を特定したか否かを判定する（ステップＳ１０１）。制御部５２Ｂは、入出力の光パケット信号区間を特定した場合（ステップＳ１０１肯定）、光パケット信号区間において遅延時間を考慮した同一タイミング時点での入出力のパワー差に応じた増幅率を算出する（ステップＳ１０２）。尚、読出し制御部６４は、第２のメモリ４４から所定タイミングで出力パワーを読出し出力すると共に、所定タイミングから遅延時間ＤＴ分遅延して第１のメモリ３４から入力パワーを読出し出力する。その結果、読出し制御部６４では、入力段の光信号と出力段の光信号とが同一タイミングの光信号の入出力パワー同士を比較できる。
【０１００】
制御部５２Ｂは、算出した増幅率が目標値と同一であるか否かを判定する（ステップＳ１０３）。制御部５２Ｂは、算出した増幅率が目標値と同一の場合（ステップＳ１０３肯定）、励起部２５に対する現在設定中の励起電流を維持し（ステップＳ１０４）、図１６に示す処理動作を終了する。
【０１０１】
制御部５２Ｂは、算出した増幅率が目標値と同一でない場合（ステップＳ１０３否定）、増幅率が目標値未満であるか否かを判定する（ステップＳ１０５）。制御部５２Ｂは、増幅率が目標値未満の場合（ステップＳ１０５肯定）、増幅率が目標値になるように、励起部２５に対して励起電流をアップし（ステップＳ１０６）、図１６に示す処理動作を終了する。
【０１０２】
制御部５２Ｂは、算出した増幅率が目標値未満でない場合（ステップＳ１０５否定）、増幅率が目標値になるように、励起部２５に対して励起電流をダウンし（ステップＳ１０７）、図１６に示す処理動作を終了する。
【０１０３】
また、制御部５２Ｂは、入出力の光パケット信号区間を特定しなかった場合（ステップＳ１０１否定）、入出力の光パス信号区間を特定したか否かを判定する（ステップＳ１０８）。制御部５２Ｂは、入出力の光パス信号区間を特定した場合（ステップＳ１０８肯定）、光パス信号区間において遅延時間を考慮した同一タイミング時点での入出力パワー間のパワー差に応じた増幅率を算出する（ステップＳ１０９）。更に、制御部５２Ｂは、算出した増幅率が目標値と同一であるか否かを判定すべく、ステップＳ１０３に移行する。制御部５２Ｂは、入出力の光パス信号区間を特定しなかった場合（ステップＳ１０８否定）、光パケット信号区間を特定したか否かを判定すべく、ステップＳ１０１に移行する。
【０１０４】
図１６に示す第３の増幅率制御処理を実行する制御部５２Ｂは、光増幅部２１の入出力の遅延時間ＤＴを考慮し、入出力の光パケット信号区間内の入出力パワー間のパワー差に応じた増幅率を算出し、算出した増幅率と目標値とを比較する。そして、制御部５２Ｂは、算出した増幅率が目標値となるように励起電流を励起部２５に供給する。その結果、光アンプ１１Ｂは、光パケット信号が混在した場合でも、励起電流に対応するレーザ光に応じて、安定した増幅率を確保できる。
【０１０５】
制御部５２Ｂは、遅延時間ＤＴを考慮し、入出力の光パス信号区間内の入出力パワー間のパワー差に応じた増幅率を算出し、算出した増幅率と目標値とを比較し、増幅率が目標値となるように励起電流を励起部２５に供給する。その結果、光アンプ１１Ｂは、光パケット信号が混在しない場合でも、励起電流に対応するレーザ光に応じて、安定した増幅率を確保できる。
【０１０６】
実施例３の光伝送装置２では、光増幅部２１内部の遅延時間を算出する。光伝送装置２は、入出力の光パケット信号区間内の入出力パワー同士を比較する際、出力側の光パケット信号区間内の出力パワーを読み出すタイミングに合わせるべく、入力側の光パケット信号区間内の入力パワーの読出しタイミングを遅延時間分遅らせる。その結果、制御部５２Ｂは、光パケット信号区間内の同一タイミング時点の入出力パワー同士を比較する際、比較対象であるサンプリング値のパワー値Ｐ２を多くできるため、高精度のパワー差を算出し、安定した増幅率を確保できる。
【０１０７】
光伝送装置２では、入出力の光パス信号区間内の入出力パワー同士を比較する際、出力側の光パス信号区間内の出力パワーを読み出すタイミングに合わせるべく、入力側の光パス信号区間内の入力パワーの読出しタイミングを遅延時間分遅らせる。その結果、制御部５２Ｂは、光パス信号区間内の同一タイミング時点の入出力パワー同士を比較する際、比較対象であるサンプリング値のパワー値Ｐ３を多くできるため、高精度のパワー差を算出し、安定した増幅率を確保できる。
【０１０８】
上記実施例では、光パケット信号区間の開始点として、立上り変化点を検出した直後の監視タイミングで検出したが、立上り変化点を検出した直後の２回目の監視タイミングから検出しても良く、適宜変更可能である。また、光パケット信号区間の開始点として、立上り変化点を検出したタイミングとしても良い。
【０１０９】
上記実施例では、入力段側の光パケット信号区間の入力パワーと、出力段側の光パケット信号区間の出力パワーとを比較する際に、光パケット信号区間内のパワーの平均値で比較したが、監視タイミング単位毎に取得したパワーで比較しても良く、適宜変更可能である。
【０１１０】
実施例３の光伝送装置２は、電源起動時に試験光源６１を起動し、試験光源６１からの試験パルス信号を出力するようにしたが、電源起動時に限定されるものではなく、所定操作に応じて試験光源６１を起動させるようにしても良い。また、試験パルス信号のパルス幅は適宜変更可能である。
【０１１１】
上記実施例の光アンプ１１（１１Ａ，１１Ｂ）として、例えば、ＥＤＦ（Erbium Doped-Fiber）等の希土類添加ファイバ等のアンプを例示したが、例えば、ＳＯＡ（Semiconductor Optical Amplifier）等の半導体光アンプでも良い。
【０１１２】
上記実施例では、ＷＤＭシステム１の光信号内の光パケット信号がバースト的に存在するため、光アンプ１１の入力パワーが変動するＷＤＭシステム１の光伝送装置２を例示した。しかしながら、光パケット信号に限定されるものではなく、バースト的に光信号に多重化される信号であればよく、他のシステムにも適用可能である。
【０１１３】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０１１４】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【符号の説明】
【０１１５】
２  光伝送装置
１１  光アンプ
２１  光増幅部
２２  第１の監視部
２３  第２の監視部
３６  第１の変化点検出部
４６  第２の変化点検出部
５１  特定部
５１Ａ  特定部
５１Ｂ  特定部
５２  制御部
５２Ａ  制御部
５２Ｂ  制御部
【図１】
2016021722.tif 000003
【図２】
2016021722.tif 000004
【図３】
2016021722.tif 000005
【図４】
2016021722.tif 000006
【図５】
2016021722.tif 000007
【図６】
2016021722.tif 000008
【図７】
2016021722.tif 000009
【図８】
2016021722.tif 000010
【図９】
2016021722.tif 000011
【図１０】
2016021722.tif 000012
【図１１】
2016021722.tif 000013
【図１２】
2016021722.tif 000014
【図１３】
2016021722.tif 000015
【図１４】
2016021722.tif 000016
【図１５】
2016021722.tif 000017
【図１６】
2016021722.tif 000018